(57)【要約】【課題】  縦方向の寸法を抑えることができると共に正面から見ても振分方向が遊技者にわかり難い振分装置を備えた遊技機を提供する。【解決手段】  頂部７４〜７６を有して山形状に形成される振分面７１〜７３を備えた振分部材７０と、該振分部材７０に対して球を排出する誘導通路部材５１とが前後方向に重複して設けられるので、振分面７１〜７３の最上部である頂部７４〜７６と誘導通路部材５１の下流端である誘導面５２〜５４下端の間隔を球の直径よりも小さく形成しても、球が誘導面５２〜５４から振分面７１〜７３の頂部７４〜７６に向かって排出されるので、振分装置５０の縦方向の寸法を抑えることができる。また、振分機能を有する頂部７４〜７６と三角状の誘導突起５６，５７とが前方から見たときに同一垂直線上に位置するようにしたので、遊技者が球の振分易さを見分けることができないという利点がある。【選択図】    図４
2008029673.tif 000002
【特許請求の範囲】
【請求項１】
球を少なくとも二方向に振り分ける振分装置を含む盤面装飾体が遊技盤に設けられた遊技機において、
前記振分装置は、頂部を有して山形状に形成される振分面を備えた振分部材と、該振分部材の前後面のいずれか一面に重複して設けられ且つ当該振分部材に球を排出する誘導通路部材と、からなり、
前記誘導通路部材は、前記頂部に向かって傾斜し且つ前方から見たときの前記頂部と同一垂直線上に前記頂部に向かって下り傾斜する傾斜辺を有する三角状の誘導突起が突設される誘導面と、該誘導面の一側方に連続して設けられる誘導通路面と、を備え、
前記誘導通路面から前記誘導面に導かれた球が前記三角状の誘導突起に当接した後、前記頂部方向に向かって排出されて頂部左右のいずれかの振分面に誘導されることを特徴とする遊技機。
【請求項２】
前記振分部材には、上下方向に複数段の前記振分面を備え、
前記誘導通路部材にも、上下方向に複数段の誘導面及び誘導通路面を備え、
前記複数段の振分面において、上段の振分面のいずれか一方の振分面に振り分けられた球が下段の誘導通路面に導かれるようにすると共に、前記複数段の誘導面において、上段に位置する前記振分面ほど下段の誘導通路面への誘導率が高くなるように前記三角状の誘導突起の高さを調節したことを特徴とする請求項１記載の遊技機。
【発明の詳細な説明】
【技術分野】
【０００１】
本発明は、球を少なくとも二方向に振り分ける振分装置を含む盤面装飾体が遊技盤に設けられた遊技機に関するものである。
【背景技術】
【０００２】
従来、遊技盤の遊技領域での遊技性の向上を目的に、球を少なくとも二方向に振り分ける振分装置を含む盤面装飾体が遊技盤に設けられたパチンコ機が数多く提案されている。例えば、特開平１１−１９２３４７号公報（以下、「先行技術文献１」という。）や特開２００３−２９０４６８号公報（以下、「先行技術文献２」という。）がある。
【０００３】
先行技術文献１には、頂部を有して山形状に形成される振分面を備えた振分部材と、該振分部材の同一垂直面の上方に配置され頂部に向けて球を真下に排出する通路誘導部材と、からなる振分装置が開示されている。また、先行技術文献２には、頂部を有して山形状に形成される振分面を備えた振分部材と、該振分部材の同一垂直面の斜め上方に配置され頂部に向けて球を斜め上方から排出する通路誘導部材と、からなる振分装置が開示されている。
【特許文献１】特開平１１−１９２３４７号公報（図４）
【特許文献２】特開２００３−２９０４６８号公報（図５）
【発明の開示】
【発明が解決しようとする課題】
【０００４】
しかし、上記した先行技術文献１，２に記載される振分装置は、振分部材の頂部と通路誘導部の下流端との間の間隔を少なくとも球の直径よりも大きく形成しなければならず、振分装置の縦方向の寸法が大きくなるという問題があり、また、正面から見た場合に、振分部材の頂部と通路誘導部の末端部との位置関係により球が二方向のうちどちらに誘導され易いかが遊技者に分かってしまうという問題があった。
【０００５】
本発明は、上記した事情に鑑みなされたもので、その目的とするところは、縦方向の寸法を抑えることができると共に正面から見ても振分方向が遊技者にわかり難い振分装置を備えた遊技機を提供することにある。
【課題を解決するための手段】
【０００６】
上記した目的を達成するために、請求項１に記載の発明においては、球を少なくとも二方向に振り分ける振分装置を含む盤面装飾体が遊技盤に設けられた遊技機において、前記振分装置は、頂部を有して山形状に形成される振分面を備えた振分部材と、該振分部材の前後面のいずれか一面に重複して設けられ且つ当該振分部材に球を排出する誘導通路部材と、からなり、前記誘導通路部材は、前記頂部に向かって傾斜し且つ前方から見たときの前記頂部と同一垂直線上に前記頂部に向かって下り傾斜する傾斜辺を有する三角状の誘導突起が突設される誘導面と、該誘導面の一側方に連続して設けられる誘導通路面と、を備え、前記誘導通路面から前記誘導面に導かれた球が前記三角状の誘導突起に当接した後、前記頂部方向に向かって排出されて頂部左右のいずれかの振分面に誘導されることを特徴とする。
【０００７】
また、請求項２に記載の発明においては、請求項１記載の遊技機において、前記振分部材には、上下方向に複数段の前記振分面を備え、前記誘導通路部材にも、上下方向に複数段の誘導面及び誘導通路面を備え、前記複数段の振分面において、上段の振分面のいずれか一方の振分面に振り分けられた球が下段の誘導通路面に導かれるようにすると共に、前記複数段の誘導面において、上段に位置する前記振分面ほど下段の誘導通路面への誘導率が高くなるように前記三角状の誘導突起の高さを調節したことを特徴とする。
【発明の効果】
【０００８】
請求項１に記載の発明においては、頂部を有して山形状に形成される振分面を備えた振分部材と、該振分部材に対して球を排出する誘導通路部材とが前後方向に重複して設けられるので、振分面の最上部である頂部と誘導通路部材の下流端である誘導面下端の間隔を球の直径よりも小さく形成しても、球が誘導面から振分面の頂部に向かって排出されるので、振分装置の縦方向の寸法を抑えることができ、これによって、遊技盤に設けられる盤面装飾体に組み込み易くなるという利点がある。また、球の振分機能が振分部材の頂部だけではなく誘導通路部材の誘導面に突設される三角状の誘導突起によっても行われ、しかも、振分機能を有する頂部と三角状の誘導突起とが前方から見たときに同一垂直線上に位置するようにしたので、遊技者が球の振分易さを見分けることができないという利点がある。
【０００９】
請求項２に記載の発明においては、振分部材に設けられる振分面と誘導通路部材に設けられる誘導面とをそれぞれ複数段ずつ設け、しかも、上段に位置する振分面ほど下段の誘導面への誘導率が高くなるように三角状の誘導突起の高さを調節することにより、球が振分装置内に滞在する時間が長くなり、遊技者が球の移動を目で追うという楽しみを味わうことができる。
【発明を実施するための最良の形態】
【００１０】
以下、図面を参照して本発明の実施の形態について説明する。まず、図１を参照して実施形態に係る遊技機としてのパチンコ遊技機の遊技盤１について説明する。図１は、遊技盤１の正面図である。
【００１１】
図１において、遊技盤１は、ほぼ正方形状に形成され、その前面の一側辺から上辺にかけて外レール部材２が固定され、また、その前面の他側辺から下辺及び一側辺にかけて内レール部材３が固定されている。一側辺の外レール部材２と内レール部材３との間には、発射された球が飛翔する発射通路４が形成され、その発射通路４の上端部である内レール部材３の上端に、発射通路４を通過した球が発射通路４に戻らないように逆流防止部材５が取り付けられている。また、内レール部材３の上方はほぼ円形の遊技領域６となっている。
【００１２】
遊技領域６の中央には、大型の液晶表示器２０の周囲を飾る盤面装飾体としてのセンター飾り枠７が取り付けられている。このセンター飾り枠７に本実施形態の要部を構成する振分装置５０が設けられている。振分装置５０を含むセンター飾り枠７については、後に詳述する。また、センター飾り枠７は、遊技領域６の多くの領域を占有しており、前記発射通路４を通過した、球が落下する領域は、センター飾り枠７の上部左領域と側方左領域と下部領域となっている。そして、これらの領域に普通図柄用ゲート８、始動口９、チューリップ形式の電動始動口１０、大入賞口１１、入賞口１３〜１５を備えたサイド飾り１２、アウト口１６、風車（符号なし）、及び多数の障害釘（符号なし）が設けられている。
【００１３】
より詳細に説明すると、遊技領域６の側方左領域には、遊技領域６を落下する球が通過する普通図柄用ゲート８が配置され、該普通図柄用ゲート８に球が通過するとセンター飾り枠７に設けられる普通図柄表示装置３８（例えば、７セグメント）が変動して表示結果を導出する。そして、その表示結果が「当り」であるときには、電動始動口１０のチューリップ形式の開閉翼片を所定時間（例えば、通常時０．５秒、確変時２秒）開放する。また、遊技領域６の下部領域には、チャッカー形式の始動口９とチューリップ形式の電動始動口１０とが同一の取付基板に設けられて遊技盤１の表面に取り付けられている。始動口９又は電動始動口１０に球が入賞すると、液晶表示器２０に図柄が変動表示され、その変動表示の結果を表示する演出が行われる。また、同時にセンター飾り枠７に設けられる特別図柄表示装置３７（例えば、７セグメント）も変動を開始して表示結果を導出する。特別図柄表示装置３７の表示結果が「大当り（確変大当りの場合は色等を変えて表示）」である場合には、液晶表示器２０で実行される演出も「大当り（確変大当り）」である旨が遊技者に理解できるように行われる。特別図柄表示装置３７の表示結果が「大当り」である場合には、電動始動口１０の下方に設けられるアタッカー形式の大入賞口１１が所定時間（例えば、２５秒）開放し、そのような開放を所定回数（例えば、１６回）行われる。また、特別図柄表示装置３７の表示結果が「確変大当り」の場合には、次回の大当りが発生するまで特別図柄表示装置３７で「大当り」が表示される確率が高くなり、この場合には、普通図柄表示装置３８の変動時間が短くなると共に普通図柄表示装置３８の「当り」確率も極めて高くなるように設定されている。
【００１４】
遊技領域６には、上記した入賞口や装置以外に遊技領域６の左下側方の前記内レール部材３に沿ってサイド飾り１２が設けられている。このサイド飾り１２の上部、中程、下部に通常の入賞口１３〜１５が設けられている。また、大入賞口１１の下方にいずれの入賞口や入賞装置にも入賞しなかった球を取り込んでパチンコ遊技機の外部に排出するためのアウト口１６が設けられている。
【００１５】
次に、上記した盤面装飾体としてのセンター飾り枠７の構成について図２を参照して説明する。図２は、センター飾り枠７を正面から見た斜視図である。図２において、センター飾り枠７は、前述したように液晶表示器２０の周囲を飾るように遊技盤１の表面に取り付けるものであり、このため、センター飾り枠７は、遊技盤１の表面に当接する取付基板２１を有している。取付基板２１には、液晶表示器２０の表示面よりも若干小さな開口が形成されており、その開口の周囲を覆うように装飾左枠部材２７、ワープ通路部材２４、振分装置５０、装飾右枠部材３２、及びステージ部材２８が取付基板２１の前面に取り付けられている。そして、取付基板２１の開口の周囲にワープ通路部材２４、装飾左枠部材２７、ステージ部材２８、振分装置５０、及び装飾右枠部材３２を取り付けた状態で正面から液晶表示器２０の表示面を視認し得る表示窓２２が形成されるものである。なお、センター飾り枠７の裏面には、液晶表示器２０を収納する液晶セット板２３が配置されるが、この液晶セット板２３は、センター飾り枠７が取り付けられた状態の遊技盤１の裏面から、センター飾り枠７と位置合わせしながら取り付けられるものである。
【００１６】
ところで、取付基板２１の前面に取り付けられる装飾左枠部材２７、ワープ通路部材２４、振分装置５０、装飾右枠部材３２、及びステージ部材２８について詳細に説明すると、装飾左枠部材２７は、取付基板２１の上部から左側方下部にかけて取り付けられるものであり、取付基板２１の前面に突出して遊技領域６を転動する球が液晶表示器２０の表示面に向かって侵入しないように阻止するものである。そして、装飾左枠部材２７には、取付基板２１の裏面側に固定されるＬＥＤランプ等の発光源によって装飾されるレンズ等が設けられている。
【００１７】
一方、ワープ通路部材２４は、取付基板２１の上部中央から右側上部にかけて取り付けられるものであり、内部にワープ通路が形成されており、そのワープ通路の上流端が取付基板２１のほぼ上部中央に臨むワープ入口２５となっており、ワープ通路の下流端が後述する振分装置５０に臨むワープ出口２６となっている。なお、ワープ入口２５は、取付基板２１の前面に位置して遊技領域６を転動する球を受け入れるようになっているが、ワープ通路が取付基板２１の開口から裏側に屈曲して形成されているので、ワープ出口２６は、取付基板２１のやや裏側（奥側）の位置に配置されている。
【００１８】
ワープ出口２６の下流側の取付基板２１には、球を少なくとも二方向に振り分ける振分装置５０が配置固定され、その振分装置５０の外側から下部に向かって装飾右枠部材３２が取付基板２１に固定されている。振分部材５０については、後に詳細に説明する。また、装飾右枠部材３２には、振分装置５０の下方位置に前記液晶表示装置２０で実行される演出に合わせて所定条件の成立時に回転駆動される演出回転体（図示しない）が収納される演出回転体収容部３３（レンズ状に形成され内部の演出回転体が視認できるようになっている。）が形成され、さらに演出回転体収容部３３の下方に始動口３６が一体的に形成され、特別図柄表示装置３７及び普通図柄表示装置３８が取り付けられている。また、装飾右枠部材３２には、振分装置５０の後述する下段誘導振分面７３ｂによって振り分けられた球が通過する始動口誘導通路３４が前記演出回転体収容部３３の内側外周に沿うように形成され、その始動口誘導通路３４の末端部に始動口出口３５が形成されている。そして、この始動口出口３５は、装飾右枠部材３２に一体的に形成される始動口３６の真上近傍に形成されている。このため、振分装置５０に振り分けられて始動口誘導通路３４に導かれた球は、ほぼ確実に始動口出口３５から始動口３６に誘導されるようになっている。ただし、図１に示すように、始動口出口３５と始動口３６との間の取付基板２１及び装飾右枠部材３２が切り欠けられているので、取付基板２１を遊技盤１の表面に取り付けたときに、始動口出口３５と始動口３６との間の遊技盤１に障害釘（平行な命釘）を植立させることができ、その障害釘の調節によって始動口出口３５から排出された球の始動口３６への入賞率を調整することも可能である。
【００１９】
また、取付基板２１の開口の下辺に沿って取り付けられるステージ部材２８は、取付基板２１の前後方向に所定の奥行き幅をもって形成されており、奥側に第１ステージ２９が水平方向に延びるように中央が高い曲面状に形成され、手前側に第１ステージ２９と段差を設けて第２ステージ３０が水平方向に延びるように中央が高い曲面状に形成されている。第１ステージ２９の中央と左右両側に第２ステージ３０に球が落下し易くするための誘導凹部２９ａ，２９ｂが形成され、第２ステージ３０の中央と左右両側に遊技領域６に球が落下し易くするための誘導凹部３０ａ，３０ｂが形成されている。第１ステージ２９の中央に形成される誘導凹部２９ａと第２ステージ３０の中央に形成される誘導凹部３０ａとは、連続しており、その誘導凹部３０ａの下方の遊技領域６に前記始動口９が配置されるようになっている。したがって、第１ステージ２９の中央の誘導凹部２９ａと第２ステージ３０の中央の誘導凹部３０ａに誘導されて遊技領域６に落下した球は、下方に位置する始動口９に入賞し易いが、この場合にも当該始動口９の上方左右に植立される障害釘の調整によってその入賞率をある程度調整することができる。また、第１ステージ２９に導かれる球は、図２に示すように、後に詳述する振分装置５０の排出振分面７１ａ〜７３ａに振り分けられてステージ誘導通路５８を介してステージ出口３１から放出されるものであり、ステージ出口３１から放出された球は、第１ステージ２９上を左右方向に転動しながら誘導凹部２９ａ，２９ｂ等から第２ステージ３０に落下し、さらに第２ステージ３０上を左右方向に転動したりして最終的に遊技領域６に落下するものである。なお、本実施形態におけるセンター飾り枠７においては、前記装飾左枠部材２７の下端の下方部から遊技領域６を転動する球が主として第２ステージ３０上に飛入する場合が煩雑にあり、この場合も第２ステージ３０上を左右方向に転動したりして最終的に遊技領域６に落下するものである。
【００２０】
次に、本実施形態の要部を構成する振分装置５０について図３乃至図７を参照して説明する。図３は、振分装置５０の前方から見た斜視図であり、図４は、振分装置５０を構成する誘導通路部材５１と振分部材７０を分解して示した斜視図であり、図５は、振分装置５０の正面図（Ａ）と、該正面図のＡ−Ａ線で切断した断面図（Ｂ）であり、図６は、振分装置５０の球の振分態様を説明するための斜視図であり、図７は、誘導通路部材５１に形成される三角状誘導突起５６，５７の作用を説明するための説明図である。
【００２１】
振分装置５０は、前述したように、ワープ出口２６の下流側の取付基板２１に配置固定されるものであり、図４に示すように、頂部としての頂部突起７４〜７６を有して山形状に形成される振分面７１〜７２を備えた振分部材７０と、該振分部材７０の後面に重複して設けられ且つ当該振分部材７０に球を排出する誘導通路部材５１と、から構成されている。誘導通路部材５１は、前記ワープ出口２６から放出される球を受け止めて左右方向に転動させながら前方に向かって誘導し且つ頂部突起７４に向かって傾斜する凹面状の第１誘導面５２と、頂部突起７５，７６に向かって傾斜し且つ前方から見たときの頂部突起７５，７６と同一垂直線上に頂部突起７５，７６に向かって下り傾斜する傾斜辺を有する三角状の誘導突起５６，５７がそれぞれ突設される凹面状の第２誘導面５３及び第３誘導面５４と、該誘導面５３，５４の一側方（図示の場合には、正面から見て右側方）に連続して設けられる誘導通路面５３ａ，５４ａと、を備えている。第１誘導面５２と第２誘導面５３と第３誘導面５４とは、上下方向に複数段となっていると共に、誘導面５２〜５４及び誘導通路面５３ａ，５４ａの前方は開放されている。図示の実施形態の場合には、第１誘導面５２に三角形状の誘導突起が形成されていないが、第１誘導面５２にも頂部突起７４に向かって傾斜し且つ前方から見たときの頂部突起７４と同一垂直線上に頂部突起７４に向かって下り傾斜する傾斜辺を有する三角状の誘導突起を突設しても良い。また、第１誘導面５２の正面から見て右側にワープ出口２６からの球が放出されるが、その反対側の上部に衝止突起５５が突設されて球の左右方向の転動を規制している。
【００２２】
第２誘導面５３に形成される三角状の誘導突起５６と、第３誘導面５４に形成される三角状の誘導突起５７とは、その傾斜辺の高さが異なるように形成されている。即ち、図５（Ｂ）に示すように、第２誘導面５３の最下面と誘導突起５６の上流端の高さｈ１と、第３誘導面５４の最下面と誘導突起５７の上流端の高さｈ２と、を比較した場合に、ｈ１＞ｈ２となるように形成されている。これによって、第２誘導面５３に設けられる三角状の誘導突起５６の傾斜辺全長の高さが、第３誘導面５４に設けられる三角状の誘導突起５７の傾斜辺全長の高さよりも高くなるように設計されている。なお、第１誘導面５２にも三角状の誘導突起（高さを「ｈ０」とする。）を設ける場合には、その高さは、ｈ０＞ｈ１＞ｈ２となるように設計される。
【００２３】
また、誘導通路部材５１の誘導通路面５３ａ，５４ａと反対側には、垂直状にステージ誘導通路５８が形成され、そのステージ誘導通路５８の前面に縦方向に所定間隔を置いて受入孔５９〜６１が開設されている。受入孔５９〜６１は、次に説明する振分部材７０の排出振分面７１ａ〜７３ｃによって振り分けられた球をステージ誘導通路５８内に受入れるものであり、ステージ誘導通路５８に受入れられた球が前記ステージ出口３１からステージ部材２８の第１ステージ２９に放出するものである。また、誘導通路部材５１の前面中央の上下には、振分部材７０を図示しないビスで止着するための取付穴６２が形成されている。そして、振分部材７０を誘導通路部材５１の取付穴６２に取り付けた状態では、図５（Ｂ）に示すように、凹面状に形成される誘導面５２〜５４の前端最下部の僅かに下方に振分部材７０の頂部突起７４〜７６が位置するようになっている。
【００２４】
一方、振分装置５０の他方の構成部材である振分部材７０は、上下方向に複数段の第１振分面７１、第２振分面７２、第３振分面７３が形成され、各振分面７１〜７３のほぼ中央に頂部としての頂部突起７４〜７６を有し、その頂部突起７４〜７６の一側（図示の左側）が前記受入孔５９〜６１の下縁まで延設される排出振分面７１ａ〜７３ａを形成し、頂部突起７４〜７６の他側（図示の右側）が前記誘導通路面５３ａ，５４ａの前方部分まで延設される下段誘導振分面７１ｂ〜７３ｂとなっている。ただし、最下段の第３振分面７３の下段誘導振分面７３ｂは、前記始動口誘導通路３４の上端入口と接続されている。また、各振分面７１〜７３の前面には、当該振分面７１〜７３に移動した球が前方に落下しないように装飾板７７〜７９が取り付けられている。
【００２５】
上記のように構成される振分装置５０においては、図６に示すように、ワープ出口２６から放出された球Ｐ１は、第１誘導面５２を左右方向に転動しながら第１振分面７１の頂部突起７４に向けて排出され、その頂部突起７４によって左右に振り分けられ、排出振分面７１ａに振り分けられた場合に受入孔５９からステージ誘導通路５８を介してステージ出口３１に導かれる球Ｐ２となり、一方、下段誘導振分面７１ｂに振り分けられた場合に第２誘導面５３の誘導通路面５３ａに導かれる。この第２誘導面５３の誘導通路面５３ａに導かれた球は、誘導通路面５３ａから第２誘導面５３に導かれて転動するが、その第２誘導面５３に突設される三角状の誘導突起５６に衝突して該突起５６を飛び越えたり反発されたりして第２振分面７２の頂部突起７５方向に向けて排出され、その頂部突起７５方向に排出された球が、排出振分面７２ａに振り分けられた場合に受入孔６０からステージ誘導通路５８を介してステージ出口３１に導かれる球Ｐ２となり、一方、下段誘導振分面７２ｂに振り分けられた場合に第３誘導面５４の誘導通路面５４ａに導かれる。更に、この第３誘導面５４の誘導通路面５４ａに導かれた球は、誘導通路面５４ａから第３誘導面５４に導かれて転動するが、その第３誘導面５４に突設される三角状の誘導突起５７に衝突して該突起５７を飛び越えたり反発されたりして第３振分面７３の頂部突起７６方向に向けて排出され、その頂部突起７６方向に排出された球が、排出振分面７３ａに振り分けられた場合に受入孔６１からステージ誘導通路５８を介してステージ出口３１に導かれる球Ｐ２となり、一方、下段誘導振分面７３ｂに振り分けられた場合に始動口誘導通路３４に導かれる球Ｐ３となる。
【００２６】
上記した振分装置５０における振分態様のうち、第２誘導面５３に設けられる誘導突起５６による振分態様、第３誘導面５４に設けられる誘導突起５７による振分態様について、図７を参照して説明すると、第２誘導面５３に設けられる誘導突起５６は、誘導面５３の最下面に対して若干高く形成されているため、誘導通路面５３ａから転動してきた球が、図７（Ｂ）に示すように、誘導突起５６の傾斜辺上端部に衝突して反発される割合が多くなる。誘導突起５６によって反発された球は、図７（Ａ）に示すように頂部突起７５の右側の下段誘導振分面７２ｂに誘導される可能性が高くなる。一方、第３誘導面５４に設けられる誘導突起５７は、誘導面５４の最下面に対して低く形成されているため、誘導通路面５４ａから転動してきた球が、図７（Ｃ）に示すように、誘導突起５７の傾斜辺上端部を飛び越える割合が多くなる。誘導突起５７を飛び越えた球は、図７（Ａ）に示すように頂部突起７６の左側の排出振分面７３ａに誘導される可能性が高くなる。つまり、本実施形態においては、複数段形成した誘導面５３，５４に突設される三角状の誘導突起５６，５７の高さを調節することにより、振分率を調整することが可能である。
【００２７】
以上、実施形態に係る振分装置５０について説明してきたが、本実施形態に係る振分装置５０は、頂部突起７４〜７６を有して山形状に形成される振分面７１〜７３を備えた振分部材７０と、該振分部材７０に対して球を排出する誘導通路部材５１とが前後方向に重複して設けられるので、振分面７１〜７３の最上部である頂部突起７４〜７６と誘導通路部材５１の下流端である誘導面５２〜５４の下端の間隔を球の直径よりも小さく形成しても、球が誘導面５２〜５４から振分面７１〜７３の頂部突起７４〜７６に向かって排出されるので、振分装置５０の縦方向の寸法を抑えることができ、これによって、遊技盤６に設けられるセンター飾り枠７に組み込み易くなるという利点がある。また、球の振分機能が振分部材７０の頂部突起７４〜７６だけではなく誘導通路部材５１の誘導面５３，５４に突設される三角状の誘導突起５６，５７によっても行われ、しかも、振分機能を有する頂部突起７５，７６と三角状の誘導突起５６，５７とが前方から見たときに同一垂直線上に位置するようにしたので、遊技者が球の振分易さを見分けることができないという利点がある。
【００２８】
また、本実施形態に係る振分装置５０は、振分部材７０に設けられる振分面７１〜７３と誘導通路部材５１に設けられる誘導面５２〜５４とをそれぞれ複数段ずつ設け、しかも、上段に位置する振分面ほど下段の誘導面への誘導率が高くなるように三角状の誘導突起５６，５７の高さを調節することにより、球が振分装置５０内に滞在する時間が長くなり、遊技者が球の移動を目で追うという楽しみを味わうことができる。
【００２９】
なお、上記した実施形態においては、振分部材７０の後面に誘導通路部材５１を重複状に組み付けたものを示したが、振分部材７０の前面に誘導通路部材５１を組みつけても良い。この場合には、誘導通路部材５１を透明な合成樹脂で成型し、球の移動が遊技者に視認できるようにすることが望ましい。
【図面の簡単な説明】
【００３０】
【図１】実施形態に係る振分装置を含むセンター飾り枠が設けられるパチンコ遊技機の遊技盤の正面図である。
【図２】センター飾り枠を正面から見た斜視図である。
【図３】振分装置の前方から見た斜視図である。
【図４】振分装置を構成する誘導通路部材と振分部材を分解して示した斜視図である。
【図５】振分装置の正面図（Ａ）と、該正面図のＡ−Ａ線で切断した断面図（Ｂ）である。
【図６】振分装置の球の振分態様を説明するための斜視図である。
【図７】誘導通路部材に形成される三角状誘導突起の作用を説明するための説明図である。
【符号の説明】
【００３１】
１  遊技盤
６  遊技領域
７  センター飾り枠（盤面装飾体）
５０  振分装置
５１  誘導通路部材
５２  第１誘導面
５３  第２誘導面
５３ａ  誘導通路面
５４  第３誘導面
５４ａ  誘導通路面
５６，５７  三角状の誘導突起
７０  振分部材
７１  第１振分面
７２  第２振分面
７３  第３振分面
７１ａ〜７３ａ  排出振分面
７１ｂ〜７３ｂ  下段誘導振分面
７４〜７６  頂部突起（頂部）
【図１】
2008029673.tif 000003
【図２】
2008029673.tif 000004
【図３】
2008029673.tif 000005
【図４】
2008029673.tif 000006
【図５】
2008029673.tif 000007
【図６】
2008029673.tif 000008
【図７】
2008029673.tif 000009